(57)【要約】【課題】  フリーザーバッグに入れた柔らかな食品、または氷枕を、直立状態で形を整えた板状に冷凍できるケースを提供する。【解決手段】  フリーザーバッグに収納したカレー、挽肉、ご飯、スープなどの柔らかな食品または、氷枕を冷凍するためのケースである。前板１と後板２に分割可能なケース本体と、前板および後板に附設するアルミニウム板１１および２１とで構成され、本ケースに収納された食品または氷枕は、アルミニウム板１１および２１とで前後より挟み込まれ、直立状態のまま板状に冷凍される。そのため冷凍庫内のスペースを有効利用できると共に、他の冷凍済み食品に直接触れることによる悪影響をなくすことができる。【選択図】図１
0003107944.tif 000002
【実用新案登録請求の範囲】
【請求項１】
フリーザーバッグに収納したカレー、挽肉、ご飯、スープなどの柔らかな食品または、アイスノン（登録商標）を冷凍するためのケースであって、前板（１）と後板（２）に分割可能なケース本体と、前板および後板に附設するアルミニウム板（１１）および（２１）とで構成され、前記した食品またはアイスノン（登録商標）を直立状態のまま冷凍することができることを特徴とする直立冷凍ケース。
【請求項２】
ケース本体を構成する前板（１）と後板（２）の間隔が可変となることを特徴とする請求項１に記載の直立冷凍ケース。
【請求項３】
ケース本体を構成する前板（１）のケース外部側に吸盤（３）を脱着自在に附設し、冷凍庫内壁部に吸着固定できることを特徴とする請求項１に記載の直立冷凍ケース。
【考案の詳細な説明】
【技術分野】
【０００１】  本考案は、フリーザーバッグに収納したカレー、挽肉、ご飯、スープなどの柔らかな食品または、アイスノン（登録商標）を直立状態で冷凍するためのケースに関するものである。
【背景技術】
【０００２】  フリーザーバッグに入れた柔らかな食品、またはアイスノン（登録商標）を冷凍する場合、冷凍庫内の空スペースに無造作に収納していた。
【考案の開示】
【考案が解決しようとする課題】
【０００３】  フリーザーバッグに入れた柔らかな食品、またはアイスノン（登録商標）を冷凍庫に収納し冷凍する場合、様々な食品郡が煩雑に収納されている冷凍庫内の空スペースに無造作に収納すると、柔らかな内容物が一箇所に偏り、塊状のまま冷凍されてしまう。このような方法では冷凍庫内スペースの有効利用ができなかった。【０００４】  また、凍る前のフリーザーバッグに入れた柔らかな食品またはアイスノン（登録商標）が他の食品に密着してしまうため、冷凍済みの食品に悪影響を与えてしまっていた。
【課題を解決するための手段】
【０００５】  すなわち、請求項１に記載の本考案は、フリーザーバッグに収納したカレー、挽肉、ご飯、スープなどの柔らかな食品または、アイスノン（登録商標）を冷凍するためのケースであって、前板（１）と後板（２）に分割可能なケース本体と、前板および後板に附設するアルミニウム板（１１）および（２１）とで構成され、前記した食品またはアイスノン（登録商標）をアルミニウム板（１１）および（２１）とで前後より挟み込み、直立状態のまま冷凍することができることを特徴とするものである。【０００６】  こうした構成では、フリーザーバッグに収納した柔らかな食品またはアイスノン（登録商標）が、前板（１）および後板（２）に附設したアルミニウム板に前後より挟み込まれ、均一な厚さを有する板状に冷凍することができるため、冷凍庫内の空スペースを有効に活用することができる。【０００７】  なお、フリーザーバッグに収納した柔らかな食品またはアイスノン（登録商標）が、前板（１）および後板（２）に附設するアルミニウム板に密着することにより、より短時開での冷凍を可能にする。【０００８】  また、フリーザーバッグに収納した柔らかな食品またはアイスノン（登録商標）を、本直立冷凍ケースに収納することにより、他の食品と直接触れることによる悪影響を無くすことができる。【０００９】  また、請求項２に記載の本考案は、ケース本体を構成する前板（１）と後板（２）の間隔が可変となることを特徴とするものである。【００１０】  このように、前板（１）と後板（２）の間隔を可変とすることで、フリーザーバッグに収納した柔らかな食品を、任意の厚さで冷凍することができる。【００１１】  さらに、請求項３に記載の本考案は、ケース本体を構成する前板（１）のケース外部側に吸盤（３）を脱着自在に附設し、冷凍庫内壁部に吸着固定できることを特徴とするものである。【００１２】  かかる構成により、冷凍庫開閉時等によるケースの不用意な移動を抑制することができる。【００１３】  なお、括弧内の符号は図面において対応する要素を表す便宜的なものであり、したがって、本考案は図面上の記載に限定拘束されるものではない。このことは「実用新案登録請求の範囲」の書類についても同様である。
【考案を実施するための最良の形態】
【００１４】  以下、図１〜図４に基づいて本考案に係る直立冷凍ケースの一実施形態を説明する。図１は直立冷凍ケースの外観斜視図、図２は直立冷凍ケースの分解図、図３は直立冷凍ケースの横断面図、図４は直立冷凍ケースに食品を収納した状態を示す横断面図である。【００１５】  図示するように、本実施形態の直立冷凍ケースは、合成樹脂からなる前板（１）と後板（２）に分割可能なケース本体と、前板（１）および後板（２）に附設するアルミニウム板（１１）および（２１）とで構成される、上部が開口部となる箱体である。【００１６】  また、前板（１）および前板（２）は、フリーザーバッグに収納した柔らかな食品またはアイスノン（登録商標）に合わせて、任意の間隔に設定できる機構を有する。これにより食品を任意の厚さとなる板状に冷凍することが可能となり、冷凍庫内のスペースを有効に利用することができる。なお、任意の間隔に設定できる機構を有するとしたが、特定の機構に限定するものではなく、通常の保存容器が備える公知の間隔伸縮機構を適用できるものである。【００１７】  また、前板（１）および前板（２）に附設するアルミニウム板上部はケース外側に湾曲し、フリーザーバッグに収納した柔らかな食品またはアイスノン（登録商標）の収納を容易にする構造である。また、前板（１）または後板（２）と、それに附設するアルミニウム板（１１）および（２１）との間にそれぞれ隙間を確保することにより、食品の凍結による膨張に対してマージンを持つことができる。【００１８】  また、ケース本体を構成する前板（１）のケース外部側に吸盤（３）を脱着自在に附設し、冷凍庫内壁部に吸着固定できるため、冷凍庫内での不用意な移動を防ぐことができる。
【図面の簡単な説明】
【００１９】
【図１】本考案に係る直立冷凍ケースの外観斜視図である。
【図２】本考案に係る直立冷凍ケースの分解図である。
【図３】本考案に係る直立冷凍ケースに、フリーザーバッグに収納した柔らかな食品またはアイスノン（登録商標）を収納した際の横断面図である。
【符号の説明】
【００２０】１・・・・・ケース本体を構成する前板
１１・・・・前板に附設するアルミニウム板
２・・・・・ケース本体を構成する後板
１１・・・・後板に附設するアルミニウム板
３・・・・・前板のケース本体外側に附設する吸盤
Ａ・・・・・フリーザーバッグに収納した柔らかな食品またはアイスノン（登録商標）
【図１】
0003107944.tif 000003
【図２】
0003107944.tif 000004
【図３】
0003107944.tif 000005
【手続補正書】
【提出日】平成15年11月10日(2003.11.10)
【手続補正１】
【補正対象書類名】実用新案登録請求の範囲
【補正対象項目名】請求項１
【補正方法】変更
【補正の内容】
【請求項１】
フリーザーバッグに収納したカレー、挽肉、ご飯、スープなどの柔らかな食品または、氷枕を冷凍するためのケースであって、前板（１）と後板（２）に分割可能なケース本体と、前板および後板に附設するアルミニウム板（１１）および（２１）とで構成され、前記した食品または氷枕を直立状態のまま冷凍することができることを特徴とする直立冷凍ケース。
【手続補正２】
【補正対象書類名】明細書
【補正対象項目名】全文
【補正方法】変更
【補正の内容】
【考案の詳細な説明】
【技術分野】
【０００１】  本考案は、フリーザーバッグに収納したカレー、挽肉、ご飯、スープなどの柔らかな食品または、氷枕を直立状態で冷凍するためのケースに関するものである。
【背景技術】
【０００２】  フリーザーバッグに入れた柔らかな食品、または氷枕を冷凍する場合、冷凍庫内の空スペースに無造作に収納していた。
【考案の開示】
【考案が解決しようとする課題】
【０００３】  フリーザーバッグに入れた柔らかな食品、または氷枕を冷凍庫に収納し冷凍する場合、様々な食品郡が煩雑に収納されている冷凍庫内の空スペースに無造作に収納すると、柔らかな内容物が一箇所に偏り、塊状のまま冷凍されてしまう。このような方法では冷凍庫内スペースの有効利用ができなかった。【０００４】  また、凍る前のフリーザーバッグに入れた柔らかな食品または氷枕が他の食品に密着してしまうため、冷凍済みの食品に悪影響を与えてしまっていた。
【課題を解決するための手段】
【０００５】  すなわち、請求項１に記載の本考案は、フリーザーバッグに収納したカレー、挽肉、ご飯、スープなどの柔らかな食品または、氷枕を冷凍するためのケースであって、前板（１）と後板（２）に分割可能なケース本体と、前板および後板に附設するアルミニウム板（１１）および（２１）とで構成され、前記した食品または氷枕をアルミニウム板（１１）および（２１）とで前後より挟み込み、直立状態のまま冷凍することができることを特徴とするものである。【０００６】  こうした構成では、フリーザーバッグに収納した柔らかな食品または氷枕が、前板（１）および後板（２）に附設したアルミニウム板に前後より挟み込まれ、均一な厚さを有する板状に冷凍することができるため、冷凍庫内の空スペースを有効に活用することができる。【０００７】  なお、フリーザーバッグに収納した柔らかな食品または氷枕が、前板（１）および後板（２）に附設するアルミニウム板に密着することにより、より短時間での冷凍を可能にする。【０００８】  また、フリーザーバッグに収納した柔らかな食品または氷枕を、本直立冷凍ケースに収納することにより、他の食品と直接触れることによる悪影響を無くすことができる。【０００９】  また、請求項２に記載の本考案は、ケース本体を構成する前板（１）と後板（２）の間隔が可変となることを特徴とするものである。【００１０】  このように、前板（１）と後板（２）の間隔を可変とすることで、フリーザーバッグに収納した柔らかな食品を、任意の厚さで冷凍することができる。【００１１】  さらに、請求項３に記載の本考案は、ケース本体を構成する前板（１）のケース外部側に吸盤（３）を脱着自在に附設し、冷凍庫内壁部に吸着固定できることを特徴とするものである。【００１２】  かかる構成により、冷凍庫開閉時等によるケースの不用意な移動を抑制することができる。【００１３】  なお、括弧内の符号は図面において対応する要素を表す便宜的なものであり、したがって、本考案は図面上の記載に限定拘束されるものではない。このことは「実用新案登録請求の範囲」の書類についても同様である。
【考案を実施するための最良の形態】
【００１４】  以下、図１〜図４に基づいて本考案に係る直立冷凍ケースの一実施形態を説明する。図１は直立冷凍ケースの外観斜視図、図２は直立冷凍ケースの分解図、図３は直立冷凍ケースの横断面図、図４は直立冷凍ケースに食品を収納した状態を示す横断面図である。【００１５】  図示するように、本実施形態の直立冷凍ケースは、合成樹脂からなる前板（１）と後板（２）に分割可能なケース本体と、前板（１）および後板（２）に附設するアルミニウ厶板（１１）および（２１）とで構成される、上部が開口部となる箱体である。【００１６】  また、前板（１）および前板（２）は、フリーザーバッグに収納した柔らかな食品または氷枕に合わせて、任意の間隔に設定できる機構を有する。これにより食品を任意の厚さとなる板状に冷凍することが可能となり、冷凍庫内のスペースを有効に利用することができる。なお、任意の間隔に設定できる機構を有するとしたが、特定の機構に限定するものではなく、通常の保存容器が備える公知の間隔伸縮機構を適用できるものである。【００１７】  また、前板（１）および前板（２）に附設するアルミニウム板上部はケース外側に湾曲し、フリーザーバッグに収納した柔らかな食品または氷枕の収納を容易にする構造である。また、前板（１）または後板（２）と、それに附設するアルミニウム板（１１）および（２１）との間にそれぞれ隙間を確保することにより、食品の凍結による膨張に対してマージンを持つことができる。【００１８】  また、ケース本体を構成する前板（１）のケース外部側に吸盤（３）を脱着自在に附設し、冷凍庫内壁部に吸着固定できるため、冷凍庫内での不用意な移動を防ぐことができる。
【図面の簡単な説明】
【００１９】
【図１】本考案に係る直立冷凍ケースの外観斜視図である。
【図２】本考案に係る直立冷凍ケースの分解図である。
【図３】本考案に係る直立冷凍ケースに、フリーザーバッグに収納した柔らかな食品または氷枕を収納した際の横断面図である。
【符号の説明】
【００２０】  １・・・・・ケース本体を構成する前板
１１・・・・前板に附設するアルミニウム板
２・・・・・ケース本体を構成する後板
１１・・・・後板に附設するアルミニウム板
３・・・・・前板のケース本体外側に附設する吸盤
Ａ・・・・・フリーザーバッグに収納した柔らかな食品または氷枕
【手続補正書】
【提出日】平成16年11月25日(2004.11.25)
【手続補正１】
【補正対象書類名】手続補正書
【補正対象項目名】手続補正３
【補正方法】削除
【補正の内容】